(57)【要約】 【解決手段】  軸線（１５）を中心に回転可能に支承されて多数のリブ（１２）を包囲するロータスパイダ（１１）と、ロータスパイダ（１１）を同心的に包囲して個別のリムシート（１６）から構成された積層リム（１４）とを備え、その積層リムがロータスパイダ（１１）とキー（１３）によって積層リムキー固定部を介して結合されているロータ（１０）において、キー（１３）とリムシート（１６）とは、固定結合の形成にて形状一体的に嵌合するように形成されていることを特徴とする。
2005510196.tif 000002
【特許請求の範囲】
【請求項１】
軸線（１５）を中心に回転可能に支承されて多数のリブ（１２，１２’）を包囲するロータスパイダ（１１，１１’）と、ロータスパイダ（１１，１１’）を同心的に包囲して個別のリムシート（１６，１６’，１６”）から構成された積層リム（１４）とを備え、その積層リムがロータスパイダ（１１，１１’）とキー（１３）によって積層リムキー固定部を介して結合されているロータ（１０，１０’）において、キー（１３）とリムシート（１６，１６’，１６”）とは、固定結合の形成にて形状一体的に嵌合するように形成されていることを特徴とするロータ。
【請求項２】
キー（１３）は積層リム（１４）に向いた側面に蟻継ぎ状に形成されており、リムシート（１６，１６’，１６”）はキー（１３）がその蟻継ぎ形状と固定結合の形成にて嵌合する窪み（１８）を有することを特徴とする請求項１に記載のロータ。
【請求項３】
リムシート（１６，１６’，１６”）はそれぞれに多数の窪み（１８）を有し、各窪み（１８）は一方の側面を蟻継ぎ状斜面（１７ａ，ｂ）により且つ他方の側面を直角に配置された面により形成されていることを特徴とする請求項２に記載のロータ。
【請求項４】
リムシート（１６’，１６”）の窪み（１８）には蟻継ぎ状斜面（１７ａ，ｂ）が常に同じ面に配置されていて、リムシート（１６’，１６”）は積層リム（１４）において重なり層で相互に積層されて交互に向けて配置されていることを特徴とする請求項３に記載のロータ。
【請求項５】
リムシート（１６）の窪み（１８）には蟻継ぎ状斜面（１７ａ，ｂ）が常に交互側面に配置されていて、リムシート（１６）は積層リム（１４）において重なり層で相互に積層されて配置されていることを特徴とする請求項３に記載のロータ。
【請求項６】
ロータスパイダ（１１）は斜めリブ（１２）を有し、キー（１３）はリブ（１２）と固定結合され、特に溶接されていることを特徴とする請求項１乃至請求項５のいずれか一項に記載のロータ。
【請求項７】
ロータスパイダ（１１’）は半径方向リブ（１２’）を有し、リブ（１２’）にはキー保持体（１９）が固定されており、キー（１３）はキー保持体（１９）に滑るように支承されていることを特徴とする請求項１乃至請求項５のいずれか一項に記載のロータ。
【発明の詳細な説明】
【技術分野】
【０００１】
この発明は、電気機械の分野に関する。この発明は請求項１の上位概念に基づくロータに関する。
【背景技術】
【０００２】
そのようなロータは例えば刊行物のドイツ特許出願公開第２８５２９８０号明細書（特許文献１）から知られている。
前記特許文献１或いは欧州特許出願公開第３３４０２０号明細書（特許文献２）或いは米国特許第４１４３４５７号明細書（特許文献３）から知られているようなロータでは、個別リムシートから積層された積層リムはキー固定によってロータスパイダと結合され、そのロータスパイダは中央軸線を中心に回転可能に支承されている。積層リムキー固定は、ロータスパイダの製造種類に応じて大抵は一つのキー保持体、一つのキーと一つ或いは複数の逆キーから成る（例えば特許文献２或いは特許文献３を参照）。ロータスパイダは積層リムに対する結合の範囲において二つ或いは複数の円板、半径方向リブ（半径方向から傾斜される或いは斜めに配置され得る）とキー保持体（例えば特許文献１の図２を参照）から成る固定構造である。リブは円板とキー保持体と溶接されており、それ故に積層リムに対する結合の範囲において傾斜配列では斜め要素として機能しない。キーは逆キーと共に摩擦結合によって積層リムと固定結合される。
【０００３】
リムシートは直角な窪みを有して、それによりキーと逆キーとが収容され得る。リムシートには二つ或いは複数の窪みが生じ得る。シートごとに一つ或いは複数のキーが係合し得る。キーとキー保持体は相対的に互いに移動できる。これは、相対的移動の可能性なしに運転中のロータスパイダとロータリムの機械的応力（遠心力、積層リムとロータスパイダにおける異なる温度分布）が高過ぎるから、重要である。  
【０００４】
公知の積層リムキー固定部では、一方でキー保持体、キーと逆キーとにより起因する比較的大きい構造的且つ製造技術的費用が欠点である。他方ではキーとキー保持体の間のすべり運動を実際に抑制することは難しい。最後にしばしば積層リムはロータスパイダ上で縮小されていない（例えば、特許文献３を参照）。しかし、収縮によってロータの停止状態にて高い機械的応力がロータスパイダに誘導され、それはロータスパイダの頑丈で高価な構造を必要とする。
【特許文献１】ドイツ特許出願公開第２８５２９８０号明細書
【特許文献２】欧州特許出願公開第３３４０２０号明細書
【特許文献３】米国特許第４１４３４５７号明細書
【発明の開示】
【発明が解決しようとする課題】
【０００５】
この発明の課題は、公知の解決策の欠点を回避し、特に簡略化された構成と簡略化された製造を特徴とする積層リムキー固定部を備えるロータを創作することである。
【課題を解決するための手段】
【０００６】
この課題は請求項１の特徴部分の全体によって解決される。この発明の本質はキーとリムシートとは固定結合の形成にて形状一体的に嵌合するように形成されていることである。これにより複雑化した分布はキーと逆キーとには不必要であり、積層リムとキーとの間の結合は著しく簡略化される。
【０００７】
この発明のロータの好ましい構成は、キーが積層リムに向いた側面に蟻継ぎ状に形成されており、積層リムはキーがその蟻継ぎ形状と固定結合の形成にて固定嵌合する窪みを有することを特徴とする。
【０００８】
その際にリムシートは特にそれぞれに多数の窪みを有して、各窪みは一方の側面を蟻継ぎ状斜面により且つ他方の側面を直角に配置された面により形成されている。    
【０００９】
好ましい構成の第一の実施態様では、ロータスパイダは斜めリブを有して、キーはリブと固定結合され、特に溶接されている。
【００１０】
好ましい構成の第二の実施態様では、ロータスパイダは半径方向リブを有して、リブにはキー保持体が固定されていて、キーはキー保持体で滑るように支承されている。
【００１１】
別の実施態様は、従属請求項から明らかになる。
【発明を実施するための最良の形態】
【００１２】
この発明は、次に実施例に基づいて図面と関連して詳細に説明される。
【実施例１】
【００１３】
図１と図２において、側面図と平面図にて上からロータの部分は斜めに延びるリブを備えるロータリム用の本発明の第一の好ましい実施例により図示されている。軸線１５を中心に回転可能なロータ１０は多数の斜めに外方に突き出すリブ１２を備えるロータスパイダ１１を有して、そのリブはそれぞれにキー１３によって個々のリムシート１６，１６’，１６”（図３）から構成された積層リム１４と結合されている。積層リム１４はロータスパイダ１１を同心状に包囲する。新たな積層リムキー固定は蟻継ぎ形状（図２）を有するそれぞれ一つのキー１３を包含する。公知の解決策とは異なって、リムシート１６，１６’，１６”は窪み１８を有し、その窪みの面は従来の様に直角形状を有し、しかしその窪みの他面は蟻継ぎ状に形成されている（図３（ａ）から（ｃ）まで）。この斜面のみ（図２において１７ａ，ｂ）はリムシート１６とキー１３との間に結合するように使用され得る。リムシート１６，１６’，１６”には、二つ或いは多数の窪み１８が形成される。リムシートごとに一つ或いは複数のキー１３が係合し得る。
【００１４】
最も簡単な場合には、リムシートは図３（ａ）により形成される（リムシート１６）。積層リム１４はリムシート１６の相互の積層によって構成される。必要な場合には、リムシートは図３（ｂ）により形成される（リムシート１６’）。ここで、追加的に相互の積層に対して重なり層におけるリムシートも向けられる（図３（ｃ）におけるリムシート１６”）．実際は、各態様（二つ或いは多数の窪み１８、右或いは左の斜面１７ａ，ｂ、リムシートごとの一つ或いは複数のキー１３の係合）は生じ得る。
【００１５】
その場合に原則はいつも、キー１３と積層リム１４の間の固定結合部がリムシートの形状によって且つ積層の選択によってキー１３の左斜面並びに右斜面１７ａ，ｂに行われることである。リムシート１６，１６’，１６”は積層されてプレスされ得る。ロータスパイダ１１は積層リム１４に対する結合の範囲において斜めに配置されたリブ１２から成り、そのリブはキー１３と固定結合される（例えば溶接される）。特許文献１の図１にて認識できる円板は、積層リムとロータスパイダの間の結合の範囲では省略する。この配列によってのみ、リブ１２は実際に傾斜要素として機能し、ロータ１０の運転におけるキー１３と積層リム１４の機械的応力（遠心力、積層リム１４とロータスパイダ１１における異なる温度分布）を減少する。
【００１６】
図１ー３による新たな積層リムの利点は、キーと逆キーとを備える高価なキー保持体を必要としない；積層リムとキーとの間の簡単な結合；滑り運動の抑制はもはや難しくない；積層リムとロータスパイダの間の固定結合により積層リムのときどき必要とされた収縮が過剰となる。                                                                  
【００１７】
上記説明した実施例は、積層リム１４とロータスパイダ１１（傾斜リブ１４）との間の傾斜結合においてのみ機能する。
【実施例２】
【００１８】
別の好ましい実施例は、図４と図５において図示されている。ロータスパイダ１１’と積層リムの間の積層リムキー固定部はこのロータ１０’ではそれぞれに例えば特許文献１から知られたキー固定部におけるように同じ形状を有する一つのキー保持体１９と、図２と等しい一つのキー１３とから成る。積層リムとキー１３との間の固定結合は図２と類似であり、リムシート１６（或いは１６’，１６”）の形状は図３と同じである。ロータスパイダ１１’はリブ１２’が半径方向であることによって図２のロータスパイダ１１と相違している。それにより一方では従来のキー固定種類（キーと逆キーとを備える）は代用され、他方ではキー１３とキー保持体１９とは互いに相対的に滑り面２０ａ，ｂに沿って移動できる。この実施例では、固定結合は蟻継ぎ状キーによって一つのキー保持体におけるキーのすべり軸受と組合わせられている。
【００１９】
この実施例は積層リムとロータスパイダ（傾斜リブ）との間の傾斜結合において機能しない。
【図面の簡単な説明】
【００２０】
【図１】側面図でこの発明の第一実施例による傾斜したリブを備えるロータの断面を示す。
【図２】図１によるロータを上からの平面図で示す。
【図３】図２によるロータにおけるリムシートの構成の異なる例を部分図（ａ）から（ｃ）までに示す。
【図４】半径方向に配向されたリブを備えるこの発明のロータの第二実施例を図２と比較できる表示で示す。
【符号の説明】
【００２１】
１０，１０’．．．．．ロータ
１１，１１’．．．．．ロータスパイダ
１２，１２’．．．．．リブ
１３        ．．．．．キー
１４        ．．．．．積層リム
１５        ．．．．．軸線
１６，１６’，１６”．．．リムシート
１７ａ，ｂ  ．．．．．斜面
１８        ．．．．．窪み（リムシート）
１９        ．．．．．キー保持体
２０ａ，ｂ  ．．．．．滑り面
【図１】
2005510196.tif 000003
【図２】
2005510196.tif 000004
【図３】
2005510196.tif 000005
【図４】
2005510196.tif 000006
【国際調査報告】
2005510196.tif 000007
2005510196.tif 000008
2005510196.tif 000009
2005510196.tif 000010
2005510196.tif 000011
2005510196.tif 000012